(57)【要約】【課題】薬剤を自動に供給し、薬剤の反応期間を制御でき、しかも低い電力消費かまたは電力を消費しない自動薬剤供給装置を提供すること。【解決手段】自動薬剤供給装置は、反応容器１と、反応容器１の上方に取り付けられた２つまたは２つ以上の薬剤供給容器２と、反応容器１の内部に延設された薬剤供給容器２の薬剤投入端と、反応容器１の側壁に設けられた入水口３と、反応容器１の底部に取り付けられ、液体を反応容器１外部に排出させるサイフォン式液体吸排装置と、を備える。【選択図】図１
0003193575.tif 000002
【実用新案登録請求の範囲】
【請求項１】
自動薬剤供給装置であって、
反応容器と、
前記反応容器の上方に取り付けられた２つまたは２つ以上の薬剤供給容器と、
前記反応容器の内部に延設された前記薬剤供給容器の薬剤投入端と、
前記反応容器の側壁に設けられた入水口と、
前記反応容器の底部に取り付けられ、液体を前記反応容器外部に排出させるサイフォン式液体吸排装置と、を備えることを特徴とする、自動薬剤供給装置。
【請求項２】
前記反応容器は、前記反応容器を上層反応区域と下層反応区域とに仕切る混合装置を備え、前記上層反応区域と前記下層反応区域とは直接または間接に連結しており、２つまたは２つ以上の前記薬剤供給容器の薬剤投入端が前記混合装置に延設されていることを特徴とする、請求項１記載の自動薬剤供給装置。
【請求項３】
前記薬剤投入端が前記混合装置に延設されている前記薬剤供給容器のうち、少なくとも一つの前記薬剤供給容器に液体薬剤が収容されていることを特徴とする、請求項２記載の自動薬剤供給装置。
【請求項４】
前記混合装置はテーパー状のじょうごを形成し、前記テーパー形のじょうごの中間部分に設けられた薬剤供給口がらせん構造を有しており、もってらせん状の液体混合区域が形成されていることを特徴とする、請求項３記載の自動薬剤供給装置。
【請求項５】
前記混合装置はテーパー状のじょうごを形成し、前記混合装置の底部に少なくとも一つの混合液サイフォンチューブが設けられおり、前記上層反応区域と前記下層反応区域とは前記混合液サイフォンチューブによって連結していることを特徴とする、請求項３記載の自動薬剤供給装置。
【請求項６】
前記サイフォン式液体吸排装置は、少なくとも一つのサイフォンチューブを有し、前記サイフォンチューブの一端を前記下層反応区域の底部に当て、前記サイフォンチューブの他端を前記下層反応区域の中間から少し高い位置に延ばした後、少なくとも一回の折り返しを形成してから前記反応容器の底壁を貫いて前記反応容器外部に延出させることを特徴とする、請求項４または５記載の自動薬剤供給装置。
【請求項７】
前記サイフォンチューブが前記反応容器を貫く一端は、前記反応容器の底壁に対して垂直を形成することを特徴とする、請求項６記載の自動薬剤供給装置。
【請求項８】
前記薬剤供給容器のすべての液体出力端に、流量調節弁が取り付けられていることを特徴とする、請求項６記載の自動薬剤供給装置。
【請求項９】
前記入水口は前記下層反応区域の側壁の中間から少し上の位置に設けられ、前記入水口の位置はサイフォンチューブのもっとも高い折り返し点より高く、前記入水口に水供給チューブと、水供給調節弁とが取り付けられていることを特徴とする、請求項６記載の自動薬剤供給装置。
【考案の詳細な説明】
【技術分野】
【０００１】
本考案は生物の養殖や、観賞用生物及びペットの飼育分野において、薬剤を供給する自動薬剤供給装置であって、薬剤の反応時間を制御可能、かつ低エネルギー消費または動力消費が不要な自動薬剤供給装置に関する。
【背景技術】
【０００２】
生物養殖、例えば水産物の養殖や、観賞用生物及びペットの飼育分野において、生物製剤及び薬剤（液体と粉体を含む）の供給は欠かせないプロセスの一つである。生物製剤及び薬剤の供給装置は、生物の養殖や、観賞用生物及びペットの飼育に使用されており、特に生物製剤が使用される前には一定量の炭素源を添加して所定の反応期間を経過しなければ最適な活性及び効果が得られないため、欠かせない装置である。
【考案の概要】
【考案が解決しようとする課題】
【０００３】
現在市場に出ている様々な薬剤供給装置は２種に分類することができる。そのうち一種は純粋な手動装置であり、もう一種は電気制御式の自動薬剤供給装置である。前者は薬剤の添加プロセスがすべて人の手に頼ることから、労働力と待機時間などが掛かり、後者は自動で計量及び添加を行える効果を有するものの、主に複雑な電子回路によって制御されているため、湿気など環境の影響を受けるほか、故障しやすいうえに電力を消費する。さらに、市販の薬剤供給装置は、手動であっても機械式による自動供給であっても、供給される薬剤を充分に溶解、反応、混合できないため、高濃度の薬剤と生物が直接に接触してしまい、好ましくない反応を引き起こす課題が残されている。そのため、薬剤を自動に供給することができ、かつ異なる薬剤を充分に溶解、反応、混合でき、非常に少ない電気消費または電気を消費しない斬新な設計が、製品技術レベルアップにとって極めて重要な一要素となっている。
【課題を解決するための手段】
【０００４】
本考案の目的は、薬剤を自動に供給し、薬剤の反応期間を制御でき、しかも低い電力消費かまたは電力を消費しない自動薬剤供給装置を提供することにある。
【０００５】
本考案の技術課題を解決しようとする手段は、反応容器と、反応容器の上方に取り付ける２つまたは２つ以上の薬剤供給容器と、反応容器の内部に延設された薬剤供給容器の薬剤投入端と、反応容器の側壁に設けられた入水口と、反応容器の底部に取り付けられ、反応容器内の液体を反応容器外部に排出させるサイフォン式液体吸排装置とを備える、自動薬剤供給装置を提供する。
【０００６】
前述技術のさらなる改善手段として、例えば反応容器を上層反応区域と下層反応区域とに仕切る混合装置を設け、上層反応区域と下層反応区域を直接または間接に連絡し、２つまたは２つ以上の薬剤供給容器の薬剤投入端を混合装置に延設してもよい。
【０００７】
前述技術のさらなる改善手段として、薬剤投入端が混合装置に延設された薬剤供給容器のうち、少なくとも一つに液体薬剤が入れられていてもよい。
【０００８】
前述技術のさらなる改善手段として、混合装置はテーパー状のじょうごを形成し、テーパー状のじょうご中間部の薬剤供給口に、らせん状の液体混合区域を形成するらせん装置を設けてもよい。
【０００９】
前述技術のさらなる改善手段として、混合装置はテーパー状のじょうごを形成し、混合装置の底部に少なくとも一つの混合液サイフォンチューブを設け、上層反応区域と下層反応区域とが混合液サイフォンチューブによって連絡されていてもよい。
【００１０】
前述技術のさらなる改善手段として、前述サイフォン式液体吸排装置は少なくとも一つのサイフォンチューブを有し、サイフォンチューブの一端を下層反応区域の底部に当て、サイフォンチューブの他端を下層反応区域の中間から少し高い位置に延ばした後少なくとも一回の折り返しを形成してから反応容器の底壁を貫いて反応容器外部に延出させてもよい。
【００１１】
前述技術のさらなる改善手段として、サイフォンチューブが反応容器の底部を貫く一端が底壁と垂直になるように形成してもよい。
【００１２】
前述技術のさらなる改善手段として、薬剤投入容器すべての液体出力端に流量調節弁が取り付けられていてもよい。
【００１３】
前述技術のさらなる改善手段として、入水口が下層反応区域側壁の中間から少し上の位置に設けられ、入水口の位置はサイフォンチューブのもっとも高い折り返し点より高く、入水口に水供給チューブと、水供給調節弁とが取り付けられていてもよい。
【考案の効果】
【００１４】
本考案の効果は、薬剤供給容器の薬剤投入端を反応容器内部に直接延ばすことによって、薬液を反応容器の内部にて充分な溶解、反応、混合してからサイフォン式液体吸排装置を介して排出できると共に、反応容器を上層反応区域と下層反応区域とに仕切る混合装置を取り付け、薬剤投入容器内部の液体及び／または粉末が重力により混合装置に流され、混合後は下層反応区域に流れてから、混合液に水を入水口から汲み入れて希釈し、下層反応区域の水位がサイフォン式液体吸排装置のサイフォンチューブ吸水位置を超えるときに、下層反応区域の混合液がサイフォン効果によって、反応容器の外部に排出される。本考案によれば、生物の養殖等における薬剤供給プロセスにおいて、供給される薬剤量の制御を実現できると共に、一種または複数種の組成を持つ薬剤の供給プロセスを通じて、充分な溶解、混合、反応希釈を実現し、動力によるエネルギー消費はなく、液圧を動力として、薬剤供給の自動化を実現できる。
【図面の簡単な説明】
【００１５】
【図１】本考案の第１実施例の構造を示す図である。
【図２】本考案の第２実施例の構造を示す図である。
【図３】本考案の第３実施例の構造を示す図である。
【図４】本考案の第４実施例の構造を示す図である。
【考案を実施するための形態】
【００１６】
以下において、図式と実施例と合わせて本考案の実施例を詳しく説明する。
【実施例】
【００１７】
図１に示すように、本考案の第１実施例の自動薬剤供給装置は、反応容器１と、反応容器１の上方に取り付ける２つまたは２つ以上の薬剤供給容器２とを備え、薬剤供給容器２の薬剤投入端は反応容器１の内部に延設されている。、反応容器１の側壁には入水口３が設けられ、反応容器１の底部に反応容器１内部の液体を反応容器１の外部に排出させるサイフォン式液体吸排装置が設けられている。薬剤供給容器２の薬剤投入端を直接に反応容器１に延設し、液体薬剤を反応容器１内部で充分混合した後にサイフォン式液体吸排装置を介して排出させる。
【００１８】
図２に示すように、本考案の第２実施例では、反応容器１は例えば、反応容器１を上層反応区域と下層反応区域とに仕切る混合装置８を備えており、上層反応区域と下層反応区域とは直接または間接に連絡され、２つの薬剤供給容器２の薬剤投入端を混合装置８へと延設することもできる。薬剤投入端が混合装置８の内部へと延設された薬剤供給容器２は、そのうち少なくとも一つの薬剤供給容器２の内部に液体薬剤が収容されている。他の薬剤供給容器２には、例えば粉末薬剤を収容し、その粉末薬剤を液体薬剤に添加して溶解させることができる。混合装置８はテーパー状のじょうごを形成し、テーパー状のじょうご中間部分の薬剤供給口にらせん装置を設け、らせん装置によってらせん状の混合区域を形成し、２種または２種以上の液体薬剤及び／または粉末薬剤をらせん状の混合区域を通過させることによって、充分な溶解、反応、混合効果が得られる。
【００１９】
反応容器１は混合装置８によって、上層反応区域と下層反応区域に仕切られ、薬剤供給容器２内部の液体及び／または粉末が重力によって混合装置８に流され、混合した後は下層反応区域に流され、入水口から汲み入れる水によって混合液が希釈される。続いて、下層反応区域の水位がサイフォン式液体吸排装置のサイフォンチューブ位置を超えるとき、下層反応区域の混合液がサイフォンチューブ作用によって反応容器の外部に排出される。本考案を生物養殖の薬剤供給プロセスに適用すれば、薬剤の量を制御できると共に、持続供給時間も制御できるため、一種または複数種の成分を持つ薬剤を供給するプロセスにおいて、充分な溶解、混合、反応、希釈を実現することができ、液圧を動力に利用できることから、動力消費は不要であり、完全な自動薬剤供給を実現できる。
【００２０】
引き続き、図３に示す第３実施例を参照する。２つの薬剤供給容器２の薬剤投入端が混合装置８内へと延設され、そのうち一つの薬剤供給容器２の薬剤投入端が直接に反応容器１の内部へと延設されている。
【００２１】
引き続き、図４に示す第４実施例を参照する。混合装置８はテーパー状のじょうごを形成し、混合装置８の底部には少なくとも一つの混合液サイフォンチューブ９が取り付けられ、上層反応区域と下層反応区域とは混合液サイフォンチューブ９によって連絡され、混合装置８内部の液体薬剤が混合液サイフォンチューブ９のサイフォンチューブ位置を超えるとき、液体薬剤が混合液サイフォンチューブ９を通過して下層反応区域へと流れこむ。
【００２２】
前述技術のさらなる改善手段として、前述サイフォン式液体吸排装置が少なくとも一つのサイフォンチューブを有し、サイフォンチューブの一端を下層反応区域の底部に当て、サイフォンチューブの他端を下層反応区域の中間から少し高い位置に延ばした後に、少なくとも一回の折り返しを形成してから反応容器の底壁を貫いて反応容器外部に延出させている。
【００２３】
前述技術のさらなる改善手段として、サイフォンチューブ６の一端が反応容器１の底壁を貫いており、当該一端は底壁と垂直になっており、サイフォンチューブ６を通じて液体薬剤を垂直方向から液体供給位置に滴下することができるようになっている。
【００２４】
前述技術のさらなる改善手段として、薬剤供給容器２すべての液体出力端に流量調節弁７を取り付けており、薬剤供給容器２に取り付けた流量調節弁７を調節することによって、液体薬剤を所定の比例に混合することができるようになっている。
【００２５】
前述技術のさらなる改善手段として、入水口３を下層反応区域の側壁の中間からやや上の位置に取り付け、入水口３の位置がサイフォンチューブの一番高い折返点より高い位置に設け、入水口３に水供給チューブ５と水供給調節弁４を取付けており、水供給調節弁４によって、水供給量と水供給速度とを調節することができるようになっている。
【符号の説明】
【００２６】
１  反応容器
２  薬剤供給容器
３  入水口
４  調節弁
５  水供給チューブ
６  サイフォンチューブ
７  流量調節弁
８  混合装置
９  混合液サイフォンチューブ
【図１】
0003193575.tif 000003
【図２】
0003193575.tif 000004
【図３】
0003193575.tif 000005
【図４】
0003193575.tif 000006